(57)【特許請求の範囲】
【請求項１】
中心中空部の両端部に、閉塞底部と、注射針を突き刺す針刺ゴム栓によって封止される開口端と有し、上記閉塞底部内面は、中心部が最も深い凹円錐形状をなしている医薬品用有底筒状容器の製造方法であって、
先端部に上記凹円錐形状に対応する凸円錐状部を有する一定径の棒状中心型または同凸円錐状部から徐々に拡径するテーパ棒状中心型を含む射出成形型を用いて、樹脂材料の射出成形によって成形することを特徴とする医薬品用有底筒状容器の製造方法。
【請求項２】
請求項１記載の医薬品用有底筒状容器の製造方法において、上記中心型の凸円錐形状は、筒状容器の中心軸と該凸円錐形状の母線とのなす角が３０〜７０゜に設定されている医薬品用有底筒状容器の製造方法。
【請求項３】
請求項１または２記載の医薬品用有底筒状容器の製造方法において、上記射出成形型は、上記中心型の凸円錐形状との対向部分に、樹脂材料の注入ゲートを備えている医薬品用有底筒状容器の製造方法。
【発明の詳細な説明】
【０００１】
【技術分野】
本発明は、注射針を突き刺すゴム栓（針刺ゴム栓）によって口部を封止する医薬品用有底筒状容器（バイアル）の製造方法に関する。
【０００２】
【従来技術およびその問題点】
医薬品用容器は通常有底筒状をなしており、その一端開口部は、所定量の薬液を充填した後、ブチル系ゴムなどのゴム材料からなるゴム栓によって封止される。充填薬液を使用する際には、ゴム栓に注射針を突き刺し、内部の薬液を注射器内に吸い取る。この吸取作業では、内部の薬液を完全に注射器内に移す必要がある。薬液は全量を一度に使用するように正しい一回量が充填されており、仮に一部が容器内に残ってしまえば、所期の薬効が期待できない可能性が生じる。
【０００３】
このため医師や看護婦は、容器内の薬液の吸い取り作業を注意深く行っているが、従来品では、容器底部に残る薬液を残らず吸い取るために、吸取の最後には容器を傾斜させて最も低い底部隅部に注射針の先端を当てる必要があった。
【０００４】
【発明の目的】
本発明は、容器を傾斜させ最も低い底部隅部に注射針を当てて吸い取るという作業を要せずに、内部の薬液全量を簡単に注射器内に移すことができる医薬品容器用有底筒状容器の製造方法を得ることを目的とする。
【０００５】
【発明の概要】
本発明は、針刺ゴム栓から突き刺す注射針が、容器中心の最も深い場所に自然に案内されるようにすれば、容器を傾斜させることなく容器内薬液の全量を簡単に注射器内に吸い取ることができるという着眼に基づいて案出された、中心中空部の両端部に、閉塞底部と、注射針を突き刺す針刺ゴム栓によって封止される開口端と有し、上記閉塞底部内面は、中心部が最も深い凹円錐形状をなしている医薬品用有底筒状容器を容易に製造する方法を提案するものであって、先端部に上記凹円錐形状に対応する凸円錐状部を有する一定径の棒状中心型または同凸円錐状部から徐々に拡径するテーパ棒状中心型を含む射出成形型を用いて、樹脂材料の射出成形によって成形すること、を特徴としている。
【０００６】
すなわち、従来の有底筒状容器は一般に、樹脂材料のブロー成形によって形成されているが、ブロー成形では、容器底部の凹円錐形状を正しく形成することが困難である。本発明のように、先端部に凸円錐状部を有する一定径の棒状中心型または同凸円錐状部から徐々に拡径するテーパ棒状中心型を含む射出成形型を用いて、樹脂材料の射出成形によって形成すれば、容器底部の凹円錐形状を正しく形成することができる。
【０００７】
本発明による有底筒状容器の底部凹円錐形状は、容器を傾けることなく、容器内薬液の全量を注射針を介して吸い取るという目的を達成するため、筒状容器の中心軸と該凹円錐形状の母線とのなす角を３０〜７０゜程度に設定することが望ましい。３０゜未満では、通常の有底筒状容器に比べ容量が十分に確保できなくなるため、容器が細長くなる。容器が細長くなると、不安定になり、さらに注射針が底部まで届かない可能性が生じる。また底部に余分な樹脂が生じるので、容器が重くなる。７０゜を超えると、凹円錐形状の効果が得られない。
【０００８】
【発明の実施形態】
図１は、本実施形態の医薬品用有底筒状容器１０の薬液充填状態を示している。筒状容器１０は、細長い円筒状をなし、その一端底部が閉塞され、他端開口部１１に、針刺ゴム栓２０が被着されている。針刺ゴム栓２０は、その中心部に針刺薄肉部２１を有し、リテイナ（ゴム栓保持部材）２２によって、開口部１１に液密に固定されている。
【０００９】
有底筒状容器１０の中心中空部（薬液充填空間）１２は、筒状容器１０の軸線１０Ｘを中心とする回転対称形状であって、開口部１１から底部１３まで一定径に形成されている。底部１３は、軸線１０Ｘ上が最も深く、周辺にいくに従ってその深さを徐々に減じる凹円錐状底部である。凹円錐状底部１３の母線と軸線１０Ｘとのなす角をα（図２）とすると、このαは３０゜〜７０゜程度が使用勝手がよい。特に４０゜〜６０゜がよい。
【００１０】
有底筒状容器１０は、樹脂材料から射出成形によって形成する。図３は樹脂成形の模式図である。射出成形型３０は、先端部に凹円錐状底部１３に対応する凸円錐状部３１を有する、中心中空部１２の内径に対応する外径の棒状中心型３２と、この棒状中心型３２との間に、有底筒状容器１０の成形空間１０Ｍを形成する左右の割型３３、３４とを有している。割型３３、３４の少なくとも一方には、成形空間１０Ｍに成形樹脂材料を注入するゲート３５が形成されている。
【００１１】
成形空間１０Ｍを形成するための射出成形型３０の割型構成は種々可能であるが、中心中空部１２が棒状中心型３２によって形成されること、及び棒状中心型３２の先端部に凹円錐状底部１３に対応する凸円錐状部３１が形成されていることが必須である。
【００１２】
上記構成の本医薬品用有底筒状容器１０は、射出成形型３０によって成形した後、必要な洗浄その他の処理を経て、中心中空部１２内部に薬液が充填される。充填後、その開口部１１に針刺ゴム栓２０を被着しリテイナ２２で固定して封止を完了する。
【００１３】
有底筒状容器１０内部の薬液を使用する際には、針刺ゴム栓２０の針刺薄肉部２１から注射器に取り付けた注射針４０を突き刺し、注射器のシリンジを引いて、有底筒状容器１０内の薬液を注射器内に吸い取る。このとき、注射針４０を有底筒状容器１０の奥部まで差し込むと、その先端は、凹円錐状底部１３に案内されて自然に底部１３の中心に至る。一方、有底筒状容器１０内の薬液は最も深い凹円錐状底部１３の中心に溜まるから、有底筒状容器１０を傾けることなく、有底筒状容器１０内の薬液の実質的に全量を注射器内に移すことができる。
【００１４】
図３の射出成形型３０では、棒状中心型３２を一定径としたが、射出成形の際の抜き型をより容易にするために、棒状中心型３２に抜きテーパを与えることができる。すなわち棒状中心型３２を、凸円錐状部３１側から徐々に僅かに拡径するテーパ棒状中心型とすることができる。テーパは、可及的に小さいことが望ましい。
【００１５】
【発明の効果】
本発明によれば、注射針を介して薬液を注射器に移し替えるとき、容器を傾けることなく簡単に全量を吸い取ることができる医薬品用有底筒状容器を容易かつ正確な形状に製造することができる。
【図面の簡単な説明】
【図１】口部を針刺ゴム栓で封止した状態を示す、本発明による医薬品容器の一実施形態の縦断面図である。
【図２】図１の下部の拡大図である。
【図３】本発明による医薬品容器の射出成形の様子の一例を示す模式断面図である。
【符号の説明】
１０  医薬品用有底筒状容器
１１  開口部
１２  中心中空部
１３  凹円錐状底部
２０  針刺ゴム栓
２１  針刺薄肉部
２２  リテイナ（ゴム栓保持部材）
３０  射出成形型
３１  凸円錐状部
３２  棒状中心型
３３  ３４  割型
３５  ゲート
４０  注射針
【図１】
0004313932.tif 000002
【図２】
0004313932.tif 000003
【図３】
0004313932.tif 000004